(57)【要約】      （修正有）【課題】首輪・胴輪部分が劣化して交換を余儀なくされても新しい首輪・胴輪に付け換えることにより本体を継続的に使用することができ、経済的に効果があるゲルマニウム着脱式ペット用健康器具を提供する。【解決手段】本考案は、ゲルマニウム含有率９９．９９９９％のゲルマニウム合金材を本体に埋め込んだペット用健康器具を蝶番で開閉可能にすることで市販のペット用首輪２・胴輪に容易に着脱可能とすることにより首輪・胴輪部分を別のものに交換しても本体１を付け替えることにより継続的に使用することができる。また、本体を錠前にすることにより取付けた後は鍵で解除しないと外れない様になっているのでペットの不測の行動により誤作動で外れないようになっている。さらに、本体内側の針状の突起物により取り付け位置が安定するのでゲルマニウムによる効能を安定して享受することができる。【選択図】図１
0003207741.tif 000002
【実用新案登録請求の範囲】
【請求項１】
ゲルマニウム含有率９９．９９９９％のゲルマニウム合金材を埋め込んでいる本体を開閉可能にすることで市販のペット用首輪・胴輪に容易に着脱可能とすることにより本体を使い回すことができる着脱式ペット用健康器具。
【請求項２】
取付後は誤作動等で外れない様にするために、本体を錠前にして鍵で解除しないと外れない着脱式ペット用健康器具。
【請求項３】
本体を市販の首輪・胴輪に挟み込んで取り付ける際に本体内側部分の針状の突起物が首輪・胴輪部分に刺さることにより取付け位置が安定し、ペットが激しく動いても取付け位置がずれ動かない着脱式ペット用健康器具。
【考案の詳細な説明】
【技術分野】
【０００１】  本考案は、高純度のゲルマニウムを用いた着脱式ペット用健康器具に関する。
【背景技術】
【０００２】  本考案はペット、主として犬、猫に用いる首輪若しくは胴輪に係り、近時、特に市街地で飼育させるペットについて、人間と同様のストレスその他による保健厚生上の問題が発生していることに鑑みて、人間の保健厚生上有効とされているゲルマニウムをペットにも付与するべく、同様のペット用の健康器具としての首輪・胴輪を開発したものとして、例えば、特許文献１、特許文献２、特許文献３がある。【０００３】
【特許文献１】特開２００３−２０４７３１
【特許文献２】特開２００５−３１２３６３
【特許文献３】特開２０１１−１８２６８７
【考案の概要】
【考案が解決しようとする課題】
【０００４】  しかしながら、従来のペット用健康器具としての首輪・胴輪では、動きの激しいペットへの使用に耐えられないなど耐久性に問題があり、また、永年使用すると経時劣化による損耗で使用できなくなる等で新しいものに交換しなければならないので継続的に使用することができず、不経済であるという欠点があった。
【課題を解決するための手段】
【０００５】  本考案は、ゲルマニウム含有率９９．９９９９％のゲルマニウム合金材を埋め込んでいる健康器具本体自体を着脱式とすることで市販のペット用の首輪・胴輪に容易に着脱することができるので、首輪・胴輪部分が劣化しても本体を取り外して別の首輪・胴輪に取り付けることによりゲルマニウム含有部分を使い回すことができ、上記課題を解決するものである。
また、本体自体を錠前にすることにより取付けた後は鍵で解除しないと取り外すことができないようになっているので、ペットの不測の行動などにより誤作動で外れない様になっている。
さらに、本体の内側部分には針状の突起物があり、本体を市販のペット用首輪・胴輪に取り付けた際にこの針状の突起物が首輪・胴輪に刺さるので、取り付けた位置が安定する。
【考案の効果】
【０００６】  本考案に係るゲルマニウム着脱式ペット用健康器具は、本体を蝶番にすることにより開閉することができ、首輪・胴輪部分に簡単に着脱することができるので、首輪・胴輪部分が劣化して交換を余儀なくされても新しい首輪・胴輪に付け換えることにより本体を継続的に使用することができ、経済的に効果がある。
また、本体自体を錠前にすることにより取付けた後は鍵で解除しないと外れない様になっているので、本体使用の際にペットが口でくわえたり足で掻いたりするなどの不測の行動をとっても誤作動で外れない様になっている。なお、鍵の頭の部分を飼育しているペットの種類と同じ形に加工することでデザイン性も優れペットに対する愛着も湧く。
さらに、取り付けの際は、本体の内側部分にある針状の突起物が首輪・胴輪部分に刺さり取り付け位置が安定するので、ペットの激しい動きによって取り付け位置がずれ動くことはなく本体のゲルマニウムによる効能を安定して享受することができ、実用性に優れたものである。
【図面の簡単な説明】
【０００７】
【図１】本考案の実施形態を示す斜視図１（本体表面側）
【図２】本考案の実施形態を示す斜視図２（本体裏面側）
【図３】本体の開口時の全体図
【図４】本体の閉鎖時の全体図
【図５】本体と鍵部分の全体図１
【図６】本体と鍵部分の全体図２（本体の鍵穴に鍵を差し込んだ全体図）
【図７】本体と鍵部分の全体図３（本体に差し込んだ鍵を９０°ひねり、本体の錠を解除した全体図）
【図８】本体と鍵部分の全体図４（解除した本体を開いた全体図）
【図９】本体の開口時の側面図
【考案を実施するための形態】
【０００８】  図１に示すように、本体を市販の首輪・胴輪に挟み込むように取り付け、本体を外す際は鍵で解除するようにして取り外すので実用性に優れたものである。図２に示すように本体の高純度ゲルマニウム含有部分が首輪・胴輪の内側部分にありペットの身体側にあるのでゲルマニウムの効能を受けやすいようになっている。
【０００９】  図３に示すように鍵で解除して本体を指でつまんで開くと蝶番側を支点として容易に本体を開くことができる。図４に示すように閉じる際は蝶番側を支点として開口側を指でつまんで閉じると容易に本体を閉じることができる。また、本体を閉じた状態は突起物等もなく表面が全体的に滑らかなので、使用した際には突起物等によりペットや飼い主が外傷を負うことはなく安全に使用できる。
【００１０】  図３、図８、図９に示すように、本体を開いた内側には針状の突起物があり、本体を市販の首輪・胴輪に取り付ける際にはこの針状の突起物が首輪・胴輪部分に刺さることにより本体の取り付け位置が安定するので、実際に使用する際にはペットが本体を口でくわえたり足で掻いたりするなどの不測の行動をとっても本体の取り付け位置がずれ動くことはないのでゲルマニウムによる効能を安定して享受することができる。
【００１１】  図５、図６、図７、図８、図９に示すように、本体の鍵穴部分に鍵を差込み、９０°ひねると錠を解除するように容易に本体が開く。鍵を使わないと本体が開かないので実際に使用する際にはペットが口でくわえたり足で掻いたりする等の不測の行動をとっても誤作動により外れないようになっている。また、鍵の頭の部分は飼育しているペットの種類と同じ形に加工することができるのでデザイン性も優れ飼い主のペットに対する愛着も湧く。
【符号の説明】
【００１２】１  装着時の本体表面
２  市販の首輪
３  鍵穴
４  装着時の本体裏面
５  高純度ゲルマニウム含有部分
６  市販の首輪
７  鍵穴
８  蝶番部
９  針状の突起物
１０  針状の突起物
１１  高純度ゲルマニウム含有部分の裏面
１２  本体上部
１３  蝶番部
１４  針状の突起物
１５  閉鎖時の本体開口部
１６  鍵穴
１７  鍵本体
１８  鍵の頭（飼育しているペットの種類と同じデザインのもの）
１９  鍵山
２０  本体上部
２１  鍵穴
２２  蝶番部
２３  鍵本体
２４  鍵の頭（飼育しているペットの種類と同じデザインのもの）
２５  本体上部
２６  蝶番部
２７  鍵穴
２８  鍵本体
２９  鍵の頭（飼育しているペットの種類と同じデザインのもの）
３０  本体上部
３１  蝶番部
３２  針状の突起物
３３  高純度ゲルマニウム含有部分の裏面
３４  本体開口部
３５  鍵穴
３６  鍵の頭（飼育しているペットの種類と同じデザインのもの）
３７  鍵本体
３８  鍵穴
３９  鍵山
４０  針状の突起物
４１  蝶番部
４２  針状の突起物
４３  高純度ゲルマニウム含有部分の裏面
４４  鍵山がでる部分
４５  針状の突起物
４６  蝶番部
４７  高純度ゲルマニウム含有部分
【図１】
0003207741.tif 000003
【図２】
0003207741.tif 000004
【図３】
0003207741.tif 000005
【図４】
0003207741.tif 000006
【図５】
0003207741.tif 000007
【図６】
0003207741.tif 000008
【図７】
0003207741.tif 000009
【図８】
0003207741.tif 000010
【図９】
0003207741.tif 000011